(57)【要約】【課題】  本発明の課題は、情報表示シートに無線通信手段を有し、無線通信手段から入力された画像情報と音声情報を表示、再生できるようにすることにより、より付加価値が高い情報表示シートを提供することにある【解決手段】  本発明は、無線送受信部と音声データ及び画像データを含む各種データを記憶するＩＣメモリー、画像表示部、音声再生部を備えた情報表示シートと情報表示シート読みとり装置とを用いることにより、課題を解決することができる。【選択図】        図１
2006194929.tif 000002
【特許請求の範囲】
【請求項１】
情報表示手段と音声再生手段を有するとともに外部情報機器との通信の送受信を行う無線通信手段を有することを特徴とする情報表示シート。
【請求項２】
厚みが２ｍｍ以下であることを特徴とする請求項１に記載の情報表示シート。
【請求項３】
前記外部情報機器との通信の送受信を行う無線通信手段が非接触ＩＣタグであることを特徴とする請求項１又は２に記載の情報表示シート。
【請求項４】
前記音声再生手段が、音声情報を電気信号に変換するマイクロフォンと、該マイクロフォンを介して音声情報を再生するための音声ＩＣモジュールを有することを特徴とする請求項１乃至３の何れか１項に記載の情報表示シート。
【請求項５】
前記情報表示手段は、電力の供給が停止されたときにも表示状態を維持できるメモリー性を有することを特徴とする請求項１乃至４の何れか１項に記載の情報表示シート。
【請求項６】
前記情報表示手段は、コレステリック液晶を用いた表示部、電気泳動粒子を用いた表示部又はエレクトロクロミック特性を有する化合物を用いた表示部を有することを特徴とする請求項５に記載の情報表示シート。
【請求項７】
無線通信手段と、画像情報及び音声情報を含む各種の情報を記憶するＩＣメモリと、ＩＣメモリへの情報の書き込み及びＩＣメモリからの情報の読み出し並びにＩＣメモリから読み出した情報に含まれる画像情報又は音声情報の再生を行うデータ処理手段と、再生した画像情報を表示する画像表示手段と、再生した音声情報を音声出力する音声再生手段とを有する情報表示シートと、
無線通信手段と、前記情報表示シートの接近を検知する検知手段と、該情報表示シートの接近を検知することにより該情報表示シートとの間で無線による情報の送受信を行う制御手段とを有する据え置き型情報表示シート読取装置と、
を備えて構成されることを特徴とする情報表示シート読取システム。
【請求項８】
前記画像情報及び音声情報を含む各種の情報は、工場等の入場者が制限される空間を仕切るゲートに関し、該ゲートを開くか否かの判断に使用する識別コードを含むことを特徴とする請求項７に記載の情報表示シート読取システム。
【請求項９】
前記据え置き型情報表示シート読取装置は、前記情報表示シートを介して又は直接入力される音声情報をこれと相前後して入力される識別番号によって特定される宛先への伝言と見做して保持し、前記宛先の識別番号を読取ると保持中の音声情報をこの宛先識別番号を有する情報表示シートに送信する手段を備えたことを特徴とする請求項７又は８に記載の情報表示シート読取システム。
【発明の詳細な説明】
【技術分野】
【０００１】
本発明は、情報を表示するシートに関するものであり、シートに記録された表示の消去と再度の記録とを書き換え可能であり、無線通信手段を有し、音声情報を再生可能な情報表示シートを提供する。
【背景技術】
【０００２】
近年、地球環境保護の観点から、廃棄物を削減する、森林破壊の元凶となる紙の使用の削減が叫ばれている。このような状況に鑑み、電子ペーパーに代表される書き換え可能な情報表示シートが提案されている。
【０００３】
情報表示シートは、無線通信手段を有すれば、著しく利便性が向上する。特許文献１では、生産管理用媒体として無線通信手段を有するカード型のものを提示している。
【特許文献１】特開２００３−２８０７２１号公報
【発明の開示】
【発明が解決しようとする課題】
【０００４】
しかしながら、特許文献１では、表示情報のみが利用できるだけであり、近年は、情報表示だけでなくより高い付加価値が求められており、メッセージや、データとしての画像の書き換え速度の速いものや、音声情報、さらには付加データを備える情報表示シートが求められている。
【０００５】
本発明の課題は、このような要求に基づきなされたものであり、情報表示シートに無線通信手段を有し、無線通信手段から入力された画像情報と音声情報を表示、再生できるようにすることにより、より付加価値が高い情報表示シートを提供することにある。
【課題を解決するための手段】
【０００６】
本発明の目的は、以下の手段により達成できる。
【０００７】
請求項１に記載の情報表示シートは、情報表示手段と音声再生手段を有するとともに外部情報機器との通信の送受信を行う無線通信手段を有することを特徴とする。
【０００８】
請求項２に記載の情報表示シートは、請求項１に記載の情報表示シートにおいて、厚みが２ｍｍ以下であることを特徴とする。
【０００９】
請求項３に記載の情報表示シートは、請求項１又は２に記載の情報表示シートにおいて、前記外部情報機器との通信の送受信を行う無線通信手段が非接触ＩＣタグであることを特徴とする。
【００１０】
請求項４に記載の情報表示シートは、請求項１乃至３の何れか１項に記載の情報表示シートにおいて、前記音声再生手段が、音声情報を電気信号に変換するマイクロフォンと、該マイクロフォンを介して音声情報を再生するための音声ＩＣモジュールを有することを特徴とする。
【００１１】
請求項５に記載の情報表示シートは、請求項１乃至４の何れか１項に記載の情報表示シートにおいて、前記情報表示手段は、電力の供給が停止されたときにも表示状態を維持できるメモリー性を有することを特徴とする。
【００１２】
請求項６に記載の情報表示シートは、請求項５に記載の情報表示シートにおいて、前記情報表示手段は、コレステリック液晶を用いた表示部、電気泳動粒子を用いた表示部又はエレクトロクロミック特性を有する化合物を用いた表示部を有することを特徴とする。
【００１３】
請求項７に記載の情報表示シート読取システムは、無線通信手段と、画像情報及び音声情報を含む各種の情報を記憶するＩＣメモリと、ＩＣメモリへの情報の書き込み及びＩＣメモリからの情報の読み出し並びにＩＣメモリから読み出した情報に含まれる画像情報又は音声情報の再生を行うデータ処理手段と、再生した画像情報を表示する画像表示手段と、再生した音声情報を音声出力する音声再生手段とを有する情報表示シートと、
無線通信手段と、前記情報表示シートの接近を検知する検知手段と、該情報表示シートの接近を検知することにより該情報表示シートとの間で無線による情報の送受信を行う制御手段とを有する据え置き型情報表示シート読取装置と、を備えて構成されることを特徴とする。
【００１４】
請求項８に記載の情報表示シート読取システムは、請求項７に記載の情報表示シート読取システムにおいて、前記画像情報及び音声情報を含む各種の情報は、工場等の入場者が制限される空間を仕切るゲートに関し、該ゲートを開くか否かの判断に使用する識別コードを含むことを特徴とする。
【００１５】
請求項９における情報表示シート読取システムは、請求項７又は８に記載の情報表示シート読取システムにおいて、前記据え置き型情報表示シート読取装置は、前記情報表示シートを介して又は直接入力される音声情報をこれと相前後して入力される識別番号によって特定される宛先への伝言と見做して保持し、前記宛先の識別番号を読取ると保持中の音声情報をこの宛先識別番号を有する情報表示シートに送信する手段を備えたことを特徴とする。
【発明の効果】
【００１６】
本発明の情報表示シートとその読取システムは、上述したような構成であるから、読取装置側から情報表示シートに画像を表示することと音声情報を転送して音声出力させることや、他の人への伝言などが可能になり、機能と利便性が大幅に向上するいう利点がある。また、画像表示手段にメモリー性のある表示デバイスを用いることにより省エネルギーで環境にも配慮した情報表示シートを提供することができる。
【発明を実施するための最良の形態】
【００１７】
本発明における最良の形態について、図を参照して説明する。図１は、本発明の情報表示シート及び情報表示シート読取装置の概念図を示す。図１に示すように、情報表示シート１は、その表面に画像表示手段２、マイクロホン兼スピーカー３、ＩＣモジュール４、電池５、キー入力手段６、アンテナ７を有している。また、この表示シート１と無線によるデータの送受信と処理を行う情報表示シート読取装置８を備えている。
【００１８】
ＩＣモジュール４には、データ記録用のＩＣメモリー及びデータ処理用のプロセッサを内蔵している。
【００１９】
本発明の好適な実施の形態によれば、例えば、入出用チケットや冷凍食品用容器、工業製品、各種薬品容器等のステッカー、物流管理用シート、製造工程管理用シートなど多目的に使用可能である。
【００２０】
例えば、内蔵のＩＣメモリーが記憶するデータは、工場等の入場者が制限される空間を仕切るゲートに関して、このゲートを開くか否かの判断に使用される識別コードを含み、この情報表示シート１は、このゲートの近傍に又はこのゲートから離れて設置される情報表示シート読取装置８に接近せしめられる。
【００２１】
本発明の他の好適な実施の形態によれば、上記情報表示シート読取装置８は、上記接近された情報表示シート１に対して、工場案内情報その他の音声データを送信する手段を備えている。
【００２２】
本発明の更に他の好適な実施の形態によれば、情報表示シート読取装置８は、音声データを外部から音声入力するためのマイクロホンを更に備えると共に、このマイクロホンを通して音声入力された音声データを処理して前記情報表示シート１のＩＣメモリーに書込む手段を更に備えている。
【００２３】
本発明の更に他の好適な実施の形態によれば、上記据え置き型の非接触読取装置から送信される音声データ又は上記マイクロホンを通して音声入力される音声データは、この音声入力に前後して入力される識別番号によって特定される人への伝言であり、この伝言は一旦上記据え置き型の非接触読取装置に保持されたのち、この据え置き型の非接触読取装置が上記識別番号を読取った際にこの読取装置からこの識別番号を有する人に送信される情報表示シートである。
【００２４】
本発明の他の好適な実施の形態によれば、上記音声データには、この情報表示シートの管理者の名前、部署、電話番号等の個人情報が含まれており、管理者の情報管理などにも利用できるようになっている。
【００２５】
本発明の更に他の好適な実施の形態によれば、外部から画像情報等のデータを入力し、必要に応じて外部の出力システムとの両立性が図られている。
【００２６】
画像表示手段２には、一度表示した後は、電力を供給しなくても表示状態を維持する、いわゆるメモリー性のある表示素子を用いることが消費電力の点から好ましい。メモリー性のある表示素子としては、コレステリック液晶や電気泳動粒子、エレクトロクロミック素子などを用いることが、省電力や画像コントラストなどの面から特に好ましい。
【００２７】
コレステリック液晶を用いた画像表示手段２について説明する。
【００２８】
画像表示手段２におけるコレステリック液晶による液晶表示素子は、基本的に透明電極を有する一対の基板とこの基板間に挟持された液晶層とからなる。この液晶層に所定の駆動電圧を印加することで該液晶層における液晶分子の配列を制御し、液晶表示素子に入射される外光を変調して目的とする画像の表示を行う。また液晶表示素子は一対の基板間の間隔を保持するために該両基板間にスペース保持材が配置されることがある。詳細には一対の基板の間にコレステリック相を示す液晶を挟持し、液晶の状態をプレーナ状態とフォーカルコニック状態に切り換えて表示を行う。液晶がプレーナ状態の場合、コレステリック液晶の螺旋ピッチをＰ、液晶の平均屈折率をｎとすると、波長λ＝Ｐ・ｎの光が選択的に反射される。また、フォーカルコニック状態では、コレステリック液晶の選択反射波長が赤外光域にある場合には散乱し、それよりも短い場合には可視光を透過する。そのため、選択反射波長を可視光域に設定し、素子の観察側と反対側に光吸収層を設けることにより、プレーナ状態で選択反射色の表示、フォーカルコニック状態で黒の表示が可能になる。また、選択反射波長を赤外光域に設定し、素子の観察側と反対側に光吸収層を設けることにより、プレーナ状態では赤外光域の波長の光を反射するが可視光域の波長の光は透過するので黒の表示、フォーカルコニック状態で散乱による白の表示が可能になる。
【００２９】
本発明のコレステリック液晶を用いた画像表示手段を形成する場合、コレステリック液晶をマイクロカプセルに封入して、必要であればバインダー樹脂とともに電極間に配置してもよいし、バインダー樹脂とともにコレステリック液晶を分散させて塗布して形成してもよい。また、光硬化性樹脂を用い重合時に相分離（重合相分離）を起こさせて強度のある膜として液晶層を形成してもよい。
【００３０】
次に画像表示手段２にマイクロカプセル型電気泳動粒子を用いた場合について説明する。
【００３１】
マイクロカプセル型電気泳動粒子による画像表示手段２は、通電による電圧印加によって、文字、数字、図形等が書き込まれる。また逆電界をかけることによって表示情報が消去される。
【００３２】
本発明に用いられるマイクロカプセル型電気泳動粒子を用いた表示素子は、分散媒中に電気泳動粒子を分散させた分散系をマイクロカプセルに封入した粒子を電極間に挿入して形成したものである。所定の色に着色された分散媒と白色の電気泳動粒子が封入されたマイクロカプセルに電界が印加されると、白色粒子が負に帯電している場合には、第一の電極が正極の時、白色粒子は第一の電極側に移動し、表示色は分散媒の色になる。逆に、第一の電極が負極の時、白色粒子は第二の電極側に移動し表示色は白色になる。透明媒体中に着色粒子と白色粒子を用いて表示を行なうことも可能である。
【００３３】
着色分散媒としては、例えば、脂肪族炭化水素、芳香族炭化水素、脂環式炭化水素、ハロゲン化炭化水素、各種エステル類、アルコール類、またはその他の種々の油等を単独または適宜混合した溶媒を、公知のアゾ系染料、アントラキノン系染料、トリフェニルアミン系染料、金属染料等を好適に単独又は複数用い、着色したものを用いる。
【００３４】
白色粒子は、例えば、酸化チタンや酸化亜鉛、硫化亜鉛等の無機顔料のほか、ガラスあるいは樹脂等の微粉末、さらにはこれらの複合体等を使用する。必要に応じて、粒子の表面を種々の界面活性剤、分散剤、有機および無機化合物、金属化合物等を用いて処理することで所望の表面電荷を付与することができるのみならず、分散媒中での分散性を向上させることができる。
【００３５】
分散液は、複合コアセルベーション法等の相分離法、界面重合法、ｉｎ−Ｓｉｔｕ法、溶解分散冷却法等、公知の方法を用いて作成されるマイクロカプセルに封入する。必要に応じて、ふるい分け、比重分離法などの任意の方法により、作成したマイクロカプセルの径の分布を制御する。マイクロカプセルの径としては、１〜３００μｍが望ましく、さらに好ましくは５〜２００μｍである。
【００３６】
得られたマイクロカプセル粒子を適当なバインダー樹脂とともに電極上に塗布しすることにより可逆情報表示層を形成することができる。表示層には膜厚を制御するためにスペーサーを混入してもよい。使用可能なスぺーサーとしては、液晶パネル用として市販されている球形や板状の樹脂微粒子や無機微粒子が用いられる。
【００３７】
さらに画像表示手段２にエレクトロクロミック材料を用いた場合について説明する。
【００３８】
エレクトロクロミック材料による画像表示手段２は、通電による電圧印加によって、材料が溶解または析出して発色したり、材料の構造が変化して材料の色が変化することによって表示するものであり、電界によって、文字、数字、図形等が書き込まれ、逆電界をかけることによって表示情報が消去される。
【００３９】
本発明に用いられるエレクトロクロミック表示素子はエレクトロデポジション型の表示素子を含むものである。エレクトロデポジション型とは二枚の電極間に電解質層を挟時し、電極間に通電することで電解質層に含有される金属イオンが電気化学的な反応によって析出および溶解することによって表示されるものである。
【００４０】
本発明に用いられるエレクトロクロミック表示素子は、透明画素電極が形成された透明支持体間に電気活性を有し、且つ電気化学的な酸化もしくは還元により変色材料層と着色剤を含有した電解質層を形成したもの、もしくは金属イオンと着色剤を含有した電解質層を形成したものが好適に用いられる。変色材料は耐久性の点で高分子のものが好ましく、電解質層は耐久性や製造性の点から高分子電解質やイオン性液体が好ましい。
【００４１】
エレクトロクロミック材料としては、ビオロゲン誘導体、酸化タングステン、Ｌｉドープ酸化タングステン、エルビウムフタロシアニン誘導体やポリピロール、ポリアニリン、ポリアズレン、ポリチオフェン、ポリインドール、ポリカルバゾール等の高分子材料が挙げられる。
【００４２】
高分子電解質に用いられる高分子としては、骨格ユニットがそれぞれ−（Ｃ−Ｃ−Ｏ）n−、−（Ｃ−Ｃ（ＣＨ3）−Ｏ）n−、−（Ｃ−Ｃ−Ｎ）n−、もしくは−（Ｃ−Ｃ−Ｓ）n−であらわされるポリエチレンオキサイド、ポリプロプレンオキサイド、ポリエチレンイミン、ポリエチレンスルフィドが挙げられる。これらを主鎖構造として、枝分れがあってもよい。また、ポリメチルメタクリレート、ポリフッ化ビニリデン、ポリ塩化ビニリデン、ポリカーボネートなども好ましい。
【００４３】
高分子固体電解質を形成する際には、可塑剤を添加することが好ましい。好ましい可塑剤としては、用いられる高分子が親水性の場合には、水、エチルアルコール、イソプロピルアルコールおよびこれらの混合物等が好ましく、疎水性の場合にはプロピレンカーボネート、ジメチルカーボネート、エチレンカーボネート、γ−ブロモラクトン、アセトニトリル、スルフォン、ジメトキシエタンジメチルホルムアミド、ジメチルアセトアミド、ｎ−メチルピロリドンおよびこれらの混合物が好ましい。
【００４４】
高分子電解質は前記高分子に電解質を溶解せしめて形成されるが、その電解質としては、リチウム塩、例えばＬｉＣｌ、ＬｉＢｒ、ＬｉＢＦ4、ＬｉＣｌＯ4、ＬｉＰＦ6、ＬｉＣＦ3ＳＯ3などや、カリウム塩、例えばＫＣｌ、ＫＢｒ、ＫＩなどや、ナトリウム塩、例えばＮａＣｌ、ＮａＢｒ、ＮａＩなどや、テトラアルキルアンモニウム塩、例えば、硼フッ化テトラブチルアンモニウム、過塩素酸テトラブチルアンモニウム、テトラブチルアンモニウムハライドなどを挙げることができる。上述のアンモニウム塩のアルキル鎖長は不揃いでもよい。
【００４５】
高分子電解質層にはコントラストを向上させるために着色剤を含有してもよい。発色が黒色の場合には、背景色としては白色の隠蔽性の高い材料が導入される。このような材料には、例えば、着色用の白色粒子が用いられ、二酸化チタン、炭酸カルシウム、酸化亜鉛、酸化マグネシウム、硫酸バリウム、酸化アルミニウム等を使用することができる。
また、着色のための色素を用いることもできる。
【００４６】
金属の電気化学的な析出、溶解によって発色と消色を行なう場合に使用される金属イオンとしては、ビスマス、スズ、銀、リチウム、鉄、クロム、ニッケル、亜鉛等の各イオンまたはそれらの組み合わせからなるイオンを例示することができる。特に好ましい金属イオンは銀、ビスマスである。これは、可逆的な反応を容易に進めることができ、析出時の変色度が高いためである。
【００４７】
さらに、本発明では、画像表示手段２の表示層上に保護層を設けてもよい。この保護層によって表示層が機械的あるいは化学的に外部から保護されることになる。
【００４８】
保護層に使用可能な材料としては、高分子樹脂溶液を塗布して塗膜を形成してもよいし、樹脂フィルムをラミネートしてもよい。また、無機材料の蒸着によって保護層を形成してもよいし、ゾル−ゲル法を用いて溶液を塗布して形成してもよい。
【００４９】
以上のようなメモリー性のある表示素子を用いた画像表示手段２とマイクロフォン兼スピーカー３、ＩＣモジュール４、電池５、キー入力手段６、アンテナ７を一つの平面上に電気回路を形成したシート状の基板間に一体的に取り付けるのが好ましい。
【００５０】
図２は、本発明の一実施例の情報表示シートの構成を示す機能ブロック図である。この情報表示シート１は、プロセッサ１１、ＩＣメモリーで構成される管理情報メモリー１２、画像データ処理手段１３、音声データ処理手段１４、ＩＣメモリーで構成される画像データメモリー１５、ＩＣメモリで構成される音声データメモリー１６、送受信手段１７、アンテナ７、画像表示手段２、キー入力手段６、マイクロフォン兼スピーカー３及び電池５を備えている。電池５は、シート型の電池で構成され、各部に動作電力を供給する。
【００５１】
図３は、図２に示した情報表示シートを読取るように構成された据え置き型情報表示シート読取装置８の構成を示す機能ブロック図である。この据え置き型情報表示シート読取装置８は、管理情報処理手段２３、管理情報データベース２４、送受信手段２５、アンテナ２５ａ、画像データ処理手段２６、音声データ処理手段２７、音声データ・データベース２８，音楽データ・データベース２９、マイクロフォン兼スピーカー２０、キー入力手段３０を備えている。
【００５２】
本実施例によれば、情報表示シート１は、特定の工場の部品を管理する管理者によって発行される。そして、各情報表示シート１の管理情報メモリ１２には、この部品のＩＤコードや在庫量などの管理情報が登録されている。この情報表示シート１を読取る据え置き型情報表示シート読取装置８は、工場の出入庫ゲートに付随してその近傍に設置される他、必要に応じて工場内の適宜な箇所に設置されている。
【００５３】
この情報表示シート１を貼り付けた部品パレットは、工場などの入場ゲートに付随して設置されている据え置き型情報表示シート読取装置８に接近する。この時、管理情報処理手段２４は、上記情報表示シート１の接近を適宜な構成の近接センサ（図示省略）で検知すると、送受信手段２５に応答要求信号の送信を指令する。
【００５４】
この指令を受けた送受信手段２５は、所定のフォーマットの応答要求信号をループアンテナなどで構成されるアンテナ２５ａから送信する。この情報表示シート読取装置８に接近されている情報表示シート１のプロセッサ１１は、上記応答信号を同じくループアンテナなどで構成されるアンテナ７と送受信手段１７とを介して受信すると、管理情報メモリ１２からこの情報表示シートのＩＤコードや入庫量などの管理情報を読出し、これを送受信手段１７を介してアンテナ７から送信することにより、情報表示シート読取装置８に対する応答を行う。
【００５５】
この情報表示シート読取装置８の管理情報処理手段２３は、上記情報表示シート１から送信された管理情報をアンテナ２５ａと送受信手段２５とを介して受信すると、この受信した管理情報を管理情報データベース２６に保持中の部品のＩＤコードやなどの各種の管理情報と照合したり、受信した管理情報に含まれる入庫量や出庫量、入出庫回数などを分析することにより、部品管理や在庫管理を行なう。
【００５６】
管理情報処理手段２３は、入庫資格有りと判定した場合には、入場ゲートを開いてこの情報表示シート１の付いたパレットの入庫を可能とし、入庫資格無しと判定した場合には、入場ゲートを開くことなく音声データ処理手段２７からスピーカー２０を通してその旨を音声出力させる。また、管理情報処理手段２３は、累積入庫回数や入庫数などに関する更新データを作成し、これを送受信手段２５とアンテナ２５ａから送信させる。この更新データは、管理情報メモリー１２に新たな入庫量や入出庫回数などとして保持される。
【００５７】
管理情報処理手段２３は、上記管理情報の判定を含む入場ゲートの開閉制御や、管理情報、画像情報の更新処理及びその送信処理と並行して、入庫パレットに対する置き場の案内情報や、音楽情報などの転送を音声データ処理手段２７に指令する。音声データ処理手段２７は、上記転送指令を受けると、この転送指令によって指定されている適宜な長さの、例えば少なくとも数分程度の長さの音声データや音楽データを音声データ・データベース２８や、音楽データ・データベース２９から読出し、送受信手段２５を介してアンテナ２５ａから送信する。更に、音声データ処理手段２８は、上記案内情報等の転送が行われた旨をこの情報表示シート１に通知する音声メッセージや発信音を、スピーカ２０から出力させる。また、情報表示シート読取装置８に有するキー入力手段３０から情報を入力し、画像データ処理手段２６から送受信手段２５を介してアンテナ２５ａから送信し、情報表示シート１の画像表示手段２に表示させることもできる。
【００５８】
情報表示シート１のプロセッサ１１は、上記情報表示シート読取装置８から送信された部品情報、案内情報などをアンテナ７と送受信手段１７とを介して受信すると、これを画像データ処理手段１３、音声データ処理手段１４に転送する。画像データ処理手段１３はプロセッサ１１から転送されてきた画像情報をディジタル信号に変換して画像データメモリー１５に記録する。画像データメモリー１５に記録された情報は画像表示手段２に表示される。音声データ処理手段１４は、プロセッサ１１から転送されてきた案内情報や音楽情報などをディジタル信号に変換して音声データメモリー１６に記録する。この音声データメモリ１６に記録されたパレット置き場案内情報などは、この情報表示シート１の入庫者がキー入力手段６から行うキー操作に応答して、音声データ処理手段１４に読出され、スピーカー３から音声出力される。
【００５９】
上記音声出力される案内情報としては、パレット置き場までの道順に関する情報（「何階のどの位置など」や、「入庫部品の配置場所など」に関するもの）がある。
【００６０】
上記、置き場案内情報等の情報表示シート側への転送を工場の入場ゲートに付随して設置されている据え置き型情報表示シート読取装置８によって行う構成とせずに、工場内の適宜な箇所に設置されているほぼ同一構成の据え置き型情報表示シート読取装置によって行うこともできる。すなわち、入場ゲートに付随して設置されている据え置き型情報表示シート読取装置には入場ゲートの開閉の制御のみを行なわせることにより、入場ゲートの通過にかかる通過所要時間が短縮される。
【００６１】
この構成においては、情報表示シート１の付帯者は、入場ゲートを通過したのち、工場内の適宜な箇所に設置されている据え置き型情報表示シート読取装置８を選択し、これに付帯中の情報表示シート１を接近させることにより、置き場案内情報などを情報表示シートに転送させることができる。この場合、情報表示シート読取装置８に付加されているキー入力手段３０を操作することなどにより、転送を要求したい案内情報を選択可能な構成とすることができる。また、画像表示手段２に画像として取り込むこともできる。
【００６２】
上述のようなシステム構成では、必要に応じて、入力ゲートに付随して設置されている据え置き型情報表示シート読取装置８と、工場内の適宜な箇所に設置されている一つ又は複数の据え置き型情報表示シート読取装置８とが双方向性の通信回線を介して相互に接続される。更に、この双方向の通信回線を介して接続された複数の据え置き型情報表示シート読取装置の動作を統括すると共に管理情報や音声データなどの各種のデータベース２４，２８，２９を共用化するための上位のデータ処理装置を追加する構成としてもよい。
【００６３】
また、必要な場合、この情報表示シート１の付帯者は、他者に対するメッセージをマイクロフォン３から音声入力する。音声データ処理手段１４は、上記マイクロフォン３から入力された音声データをＡ／Ｄ変換し、圧縮して音声データメモリ１６に書込む。この後、この情報表示シート１の付帯者は、工場内に設置されている据え置き型情報表示シート読取装置８に、付帯中の情報表示シート１を接近させた状態で、この情報表示シート読取装置８に付加されているキー入力手段３０を操作することによりこのメッセージの伝言を情報表示シート読取装置８に指令すると共に、このメッセージの伝言対象者のＩＤコードを入力する。
【００６４】
このメッセージの伝言の指令を受けた情報表示シート読取装置８は、メッセージの転送を情報表示シート１に指令する。情報表示シート１のプロセッサ１１は、音声データメモリ１６に保持中のメッセージを音声データ処理手段１４を介して読出し、送受信手段１７を介してアンテナ７から送信させる。このメッセージを受け取った情報表示シート読取装置８の管理情報処理手段２３は、伝言要求と伝達先のＩＤコードとメッセージとを通信回線を介して入場ゲートの開閉制御を行なう他の据え置き型情報表示シート読取装置８に転送する。
【００６５】
入場ゲートの開閉制御を行なう他の据え置き型情報表示シート読取装置８は、上記伝言要求を受けると、管理情報データベース２４で管理中の伝言先のＩＤコードに対して伝言要求が存在する旨の表示を画像表示手段２に付加すると共に、伝言対象のメッセージを上記伝言先のＩＤコードによって読出し可能な状態にして音声データ・データベース２６に保持する。
【００６６】
上記情報表示シート読取装置８が、伝言先のＩＤコードを有する情報表示シートが接近されたことを検知すると、通常の入場ゲートの開閉制御と並行して、音声データ・データベースから伝言対象のメッセージを読出し、送受信手段２５とアンテナ２５ａを介して送信し、伝言が転送された旨を音声出力や特殊な発信音などによって情報表示シート１の付帯者に通知する。転送された音声メッセージは、情報表示シート１内の音声データメモリ１６に書込まれ、キー入力手段６の操作に基づく指令によって音声出力される。
【００６７】
この情報表示シート１への伝言は、情報表示シート読み取り装置を介さず、情報表示シート１に付属のマイクロホン３から直接音声情報を入力し、情報表示シート１内の音声データメモリ１６に書込み、伝言のある旨を画像表示手段２に表示させてキー入力手段６の操作に基づく指令によって音声出力させるということで容易に伝言することもできる。
【００６８】
以上、情報表示シート１については、プロセッサ１１と音声データ処理手段１３とを個別のものして内に設置する構成を例示したが、これらを一体化したものを設置する構成としてもよい。
【００６９】
また、伝言サービスを行うためにマイクロフォン３を情報表示シート１内に設置する構成を例示した。しかしながら、このマイクロフォン３を情報表示シート１内ではなく据え置き型情報表示シート読取装置８に設置しておき、このマイクロホンを使用して伝言対象のメッセージをシステム内に音声入力する構成とすることもできる。
【００７０】
また、内蔵の電池によって情報表示シート１内の全消費電力をまかなう構成を例示したが、情報表示シート１の読取時に情報表示シート読取装置８側からこの情報表示シート１側に交流電力を供給し、表示シート１内でこの交流電力を直流電力に変換して動作電力の一部や全部として利用したり、余った電力を内蔵の電池に充電するなどの構成を採用することもできる。
【００７１】
更に、スピーカーとマイクロフォンを兼ねる共用の電気／音響変換素子を情報表示シートに設置する構成を例示したがスピーカーとマイクロフォンとを個別に設置する構成とすることもできる。
【００７２】
以下、本発明を更に詳しく説明する。
本発明の電気系回路は、回路基板上に、ＩＣ回路とアンテナ回路を形成して設けられる。ＩＣ回路とアンテナ回路は電気的に導通される。回路基板用の基板材は、一般的な紙、フェノール樹脂、ガラスエポキシ樹脂、コンポジット等のリジッドタイプ、ポリイミドフィルム、ポリエステルフィルム、紙、合成紙等のフレキシブルタイプ、および両者の複合タイプが使用できる。配線回路は金属導線をコイル状にしたものを前記基板材上に接着剤を用いて設置したり、加熱加圧してフィルムを変形させて設置して設ける方法、銅やアルミ等の金属を張った基板材の金属部分をエッチングして設ける方法、銀などの導電性の金属で形成された金属箔を基板上に転写して設ける方法、および導電ペースト塗料を用いてシルクスクリーン印刷で印刷、乾燥して基板上に設ける方法が挙げられる。
【００７３】
電気系回路は、上記により配線回路を形成した基板上にＩＣ回路を実装し、アンテナ回路とＩＣ回路を電気的に導通接続して形成される。基板へのＩＣ回路の実装は、ＴＡＢ（テープ・オートメイテッド・ボンディング）、ＣＯＢ（チップ・オン・ボード）やフリップチップ実装が用いられる。ＩＣ回路の実装やアンテナ回路との接続には、通常のはんだ付けや、導電性接着剤が使用できるが、加工の際、回路基板材が耐えうる温度条件のものを採用する必要がある。ＩＣ回路層は実装されたＩＣ回路や配線回路の保護のために、エポキシ樹脂などで包埋（パッケージング）して用いることもできる。ＩＣ回路層の厚みは、エポキシ樹脂で包埋後１５０μｍ〜１ｍｍである。
【００７４】
また、保護のために、ＩＣ回路露出面に、ポリイミドフィルム、ポリエステルフィルム等の保護フィルムで接着することもできる。
【００７５】
本発明に用いられているＩＣモジュール４は、メモリ回路、又はマイコン回路（更にＣＰＵをも有する）であることができ、メモリ回路である場合、該メモリ回路はメモリ及びこれにバスラインを介してつながるメモリ制御回路を有するものであり、メモリは不揮発性メモリであることが好ましく、現場プログラミング可能なＰＲＯＭ、紫外線で書換可能なＥＰＲＯＭ、電気的書換可能なＥＥＰＲＯＭが好ましく使用され、特に、情報表示シート発行後に使用現場で書換可能なＥＥＰＲＯＭはより好ましく使用される。また、このような本発明に用いられるＩＣモジュール４がマイコン回路である場合には、例えばＣＰＵ及びその専用処理回路から成る部分、ＥＥＰＲＯＭ部分、ＲＯＭ部分、ＲＡＭ部分、ＥＥＰＲＯＭにバスラインで連結せるメモリ制御回路、これら各部分とＣＰＵを結ぶアドレスライン及びデータラインを有するものであり得る。これら画像情報とコード情報の両者を有する情報表示シートは、リーダライターで処理されるが、ＩＣモジュール４がマイコン回路である場合と、単なるメモリ回路である場合とではリーダライターの仕様を変えることができる。即ち、ＩＣモジュール４がマイコン回路である場合は、単なるメモリ回路である場合に比し、当然、リーダライターが担う負担を軽減できる。このリーダライターには人間が視認するための画像情報とコンピュータが認識可能（当然演算可能）なコード情報との間の、処理プログラムを含む相方向変換手段を付属させることができる。
【００７６】
画像表示手段２やアンテナ７、マイクロホン兼スピーカー３、ＩＣモジュール４などをシート状基板間に接着する接着剤層は、通常は常温もしくは加熱した状態で加圧接着できるものである。ＥＶＡ系接着剤など一般的なヒートシーラーが使用できる。接着剤としては、例えば液状のアンカーコート剤、例えばポリウレタン系アンカーコート剤として東洋モートン（株）製のＥＬ−１５０（商品名）、又はＢＬＳ−２０８０ＡとＢＬＳ−２０８０Ｂの混合物が、ポリエステル系アンカーコート剤として同社製のＡＤ−５０３（商品名）を適用することができる。アンカーコート剤は秤量が０．５〜２５ｇ／ｍ2となるように塗布される。
【００７７】
ＩＣ回路の凹凸の影響を受けないようにするため、接着層もしくは粘着層は、ＩＣ回路側に設ける。
【００７８】
接着層もしくは粘着層の主成分としては天然ゴム系、合成ゴム系、アクリル系、シリコーン系、ウレタン系、Ｓ−Ｉ−Ｓ−ブロックポリマー系、ＥＶＡ系の材料であることが好ましい。これらは、用途に応じて混合して使用したり、各種添加剤を加えてもよい。さらに、その接着強度も、必要に応じて設定することができ、基材表面の微細な襞の部分である程度の接着強度を確保し得るようにできるものであれば、表示手段、無線手段、音声再生手段を有するＩＣモジュール４の脱着が容易で、繰り返し使用することができるようになる。また、接着強度が大で、取り付け後の剥離が困難なものであれば、半永久的に使用が可能となる。本発明の情報表示シート１は、必要に応じて粘着性もしくは接着性を有する面の上面に型紙等の剥離可能なシートを積層してもよい。
【００７９】
また、接着面以外の面を易接着、撥水、撥油、帯電防止等、必要に応じて各種処理を施してもよい。
【００８０】
ＩＣモジュール４は、画像表示手段２と共にシート基板に貼り付けて使用するため、シート形状であることが好ましい。また、アンテナ７とＩＣモジュールには、突起部がなく平滑面であることが望ましい。
【００８１】
画像表示手段２の基板とＩＣモジュール４とキー入力手段６とマイクロフォン兼スピーカー３の回路基板が同一の基板となって形成されていることが好ましい。
【００８２】
また、画像表示手段２とＩＣモジュール４が同一基板で、マイクロフォン兼スピーカー３の回路基板とキー入力手段６とが別基板になっているとき、それらの基板をフレキシブル電極基板で結合されて一体としてもよい。
【００８３】
この場合、フレキシブル電極基板の接続部を長めに取り、その部分で折り曲げることが可能となる。
【００８４】
マイクロフォン兼スピーカー３は圧電素子からなり、圧電素子膜に外部から音圧が加わると、圧力によって変形を受け、この変形が圧電素子膜の表面と裏面との間に起電力を生じ、この電流を取り出して電気信号として利用することでマイクロフォンとなる。また、この圧電素子膜の表面と裏面に圧電素子膜を保持する第１及び第２の導電性リングに電圧を印加することにより、圧電素子膜が変形を受け、振動することで音声再生を行うことができる。このマイクロフォン懸スピーカー３の上部には空間を有して振動板を設けている。振動板は上質紙にＰＥＴがコーティングされたものを採用することができる。
【００８５】
本発明で使用される電池は厚みが特に１ｍｍ以下が好ましく、より好ましくは０．５ｍｍ以下である。また、表示シート１の厚みは、２ｍｍ以下が好ましい。
【００８６】
また、無線通信手段としては、非接触ＩＣタグを用いても良い。非接触ＩＣタグとしては、現在公知のものを採用することができる。非接触ＩＣタグは、空間に高周波電磁界（長波（１２５ｋＨｚ）や短波（１３．５６ＭＨｚ）、マイクロ波（２．４５ＧＨｚ）など）や超音波、光等の振動エネルギーの場を設けて、そのエネルギーを吸収、整流してタグに内蔵された電子回路を駆動する直流電力源とし、この場の交流成分の周波数をそのまま用いるか、あるいは逓倍や分周して識別信号とし、この識別信号をアンテナまたはコイルやコンデンサ等の非接触伝達素子を介してデータを半導体素子の情報処理回路に伝送するものである。また、この場合の読み取り装置としては、現在公知の非接触用ＩＣタグ用のリーダライターを採用することができる。
【図面の簡単な説明】
【００８７】
【図１】本発明の一実施例の情報表示シート及び情報表示シート読取装置の概略構成図である。
【図２】本発明の一実施例の情報表示シートの構成を示すブロック図である。
【図３】本発明の一実施例の情報表示シート読取装置の構成を示す機能ブロック図である。
【符号の説明】
【００８８】
１  情報表示シート
２、１８  画像表示手段
３、２０  マイクロフォン兼スピーカー
４  ＩＣモジュール
５、２１  電池
６、３０  キー入力部
７  アンテナ
８  情報表示シート読取装置
１１  プロセッサ
１２  管理情報メモリー
１３  画像データ処理手段
１４  音声データ処理手段
１５  画像データメモリー
１６  音声データメモリー
１７  送受信手段
２２  据え置き型情報表示シート読取装置
２３  管理情報処理手段
２４  管理情報データベース
２５  送受信手段
２５ａ  アンテナ
２６  画像データ処理手段
２７  音声データ処理手段
２８  音声データ・データベース
２９  音楽データ・データベース
【図１】
2006194929.tif 000003
【図２】
2006194929.tif 000004
【図３】
2006194929.tif 000005